(57)【特許請求の範囲】
【請求項１】
基枠体を有した中扉用錠ユニットが、ゲーム機の本体枠に開閉可能に装着された中扉に、取り付けられ、シリンダ錠を有したシリンダ錠ユニットが、該中扉に開閉可能に装着された前扉に、取り付けられ、該前扉を施錠するための鉤部材が、該中扉用錠ユニット内に摺動可能に装着され、該前扉に設けられた受け金具に該鉤部材が係止されて該前扉が施錠されるゲーム機の施錠装置において、
該中扉用錠ユニットの基枠体が第１基枠体と第２基枠体を組み合わせて構成され、該第１基枠体と第２基枠体との重ね合わせ部に形成された隙間に、前記鉤部材が摺動可能に挟持され、該基枠体に沿って解錠用の作動杆が摺動可能に配設され、該作動杆には、解錠時に該鉤部材に係合して該鉤部材を解錠方向に摺動させる係合部が設けられ、前記シリンダ錠ユニットに設けられたシリンダ錠の錠軸に係合部材が取着され、該前扉の閉鎖時、該錠軸の係合部材と係合可能な受け係合部が、該作動杆の一部に設けられ、
該鉤部材と該基枠体との間に該鉤部材を施錠方向に付勢するためのコイルばねが掛け渡され、該コイルばねは前記第１基枠体に設けたばね用開口部に配設され、該コイルばねをカバーするばねカバー部が前記第２基枠体に設けられたことを特徴とするゲーム機の施錠装置。
【請求項２】
基枠体を有した中扉用錠ユニットが、ゲーム機の本体枠に開閉可能に装着された中扉に、取り付けられ、シリンダ錠を有したシリンダ錠ユニットが、該中扉に開閉可能に装着された前扉に、取り付けられ、該中扉を施錠するためのラッチ部材が、該中扉用錠ユニット内に回動可能に枢支され、該本体枠に設けられた受け具に該ラッチ部材が係止されて該中扉が施錠されるゲーム機の施錠装置において、
該中扉用錠ユニットの基枠体が第１基枠体と第２基枠体を組み合わせて構成され、該第１基枠体と第２基枠体との重ね合わせ部分に、該ラッチ部材を収納するためのラッチ用凹部が、その周辺部を該第１基枠体によって囲われて形成され、該ラッチ用凹部内に該ラッチ部材が回動可能に枢支され、該基枠体に沿って解錠用の作動杆が摺動可能に配設され、該第２基枠体の上部と下部に該受け具の進入を許容する開口凹部が形成され、該ラッチ部材は、該開口凹部内の受け具を拘束する溝状のロック凹部を有すると共に、該支持板の上部と下部の該開口凹部の近傍に各々回動可能に枢支され、該作動杆には、解錠時に該ラッチ部材に係合して該ラッチ部材の解錠方向への回動を許容させる作動係合部が設けられ、前記シリンダ錠ユニットに設けられたシリンダ錠の錠軸に係合部材が取着され、該前扉の閉鎖時、該錠軸の係合部材と係合可能な受け係合部が、該作動杆の一部に設けられ、該ラッチ部材は、該中扉の閉鎖時に該ラッチ部材が該受け具に押されてラッチ位置に回動した時、該受け具に係止され、該シリンダ錠により該錠軸の該係合部材を該ラッチ部材の解錠方向に回動させたとき、作動杆が移動して該作動係合部により該ラッチ部材の係止が解除されて該ラッチ部材が解錠側に回動し、該中扉が解錠されることを特徴とするゲーム機の施錠装置。
【請求項３】
前記シリンダ錠ユニットの係合部材は、回動軸心から偏倚した位置に２つの係合突板を突設して形成され、前記作動杆の受け係合部は、該係合部材の該係合突板を背面側から包囲して係合するように略コ字状に形成されると共に、前記基枠体の中央縦線から側方に偏倚して配設されたことを特徴とする請求項２記載のゲーム機の施錠装置。
【請求項４】
前記作動杆には、解錠操作時に移動した該作動杆を基の位置に戻すためのばね部材が装着され、さらに前記シリンダ錠ユニットのシリンダ錠には、その錠軸及び係合部材を原位置に復帰させるための戻しばねが装着されたことを特徴とする請求項２記載のゲーム機の施錠装置。
【発明の詳細な説明】
【技術分野】
【０００１】
本発明は、パチンコ機、スロットマシン等のゲーム機の前扉（ガラス枠）を中扉に施錠すると共に、中扉を本体枠（筐体）に施錠する施錠装置に関し、特に、前扉側にシリンダ錠などをユニット化したシリンダ錠ユニットを取り付け、中扉側にラッチ部材、鉤部材、作動杆などをユニット化した中扉用錠ユニットを取り付ける構造のゲーム機の施錠装置に関する。
【背景技術】
【０００２】
従来、パチンコ機、スロットマシンなどのゲーム機の前扉（ガラス枠）を本体枠（筐体）に対し施錠する装置として、取付板と支持板を断面Ｌ形に成形した縦長の基枠体の内側に、連結杆が摺動可能に配設され、支持板の上部と下部に鉤部材が傾動可能に枢支され、連結杆の上下端部が鉤部材に連結され、取付板の中間部にシリンダ錠がその錠軸を取付板に設けた孔から内側に差し込むように取付けられ、錠軸の先端に連結杆と係合するカム板が固定されてなる施錠装置が、ゲーム機において広く使用されている。
【０００３】
また、パチンコ機の施錠装置として、鉤部を上下に設けたガラス枠用施錠杆を基枠体内に摺動可能に配設し、前扉に開閉可能に配設されたガラス枠と筐体に開閉可能に装着された前扉の両方を施錠・解錠する構造の施錠装置が、下記特許文献１により知られている。
【特許文献１】特許第３０３０６１３号公報
【特許文献２】特開２００１−１３７５１２号公報
【発明の開示】
【発明が解決しようとする課題】
【０００４】
この種のガラス枠用施錠杆を基枠体内に、前扉用の鉤部材及び連結杆と共に配設した施錠装置は、前扉の内側に鉤部材を筐体側に突出した状態で、基枠体を縦に取り付け、鉤部材が係止可能な受け金具を筐体側の対応位置に取り付け、取付板に固定したシリンダ錠の正面を前扉の正面に現して装着される。このため、前扉前面側に取り付けられたガラス枠は、シリンダ錠を避けた形状に、つまりシリンダ錠の先端を露出した形状に形成する必要があり、ガラス枠の設計形状の自由度が制限されるという課題があった。
【０００５】
また、周知のように、パチンコ機、スロットマシンの前扉には、装飾用プラスチック、照明装飾器具など各種の電気部品、装飾部品、操作部品などが装着されているため、施錠装置を取り付けるためのスペースが狭く制限され、さらに、各種の電気部品等を取り付けた前扉は重量が重くなり、開閉の操作性を考慮して、前扉をできるだけ軽くするように、前扉の軽量化が要望されていた。
【０００６】
そこで、従来、パチンコ機のガラス枠の内側にシリンダ錠を取り付けると共に基枠を固定し、シリンダ錠の鍵穴面をガラス枠の前面に露出させ、シリンダ錠の錠軸にカムレバーを固定し、基枠にはガラス枠用可動錠板を上下摺動可能取り付けて、シリンダ錠によるカムレバーの回動操作により可動錠板を摺動させて、ガラス枠の解錠を行なうようにした構造の施錠装置が、上記特許文献２で提案されている。
【０００７】
この施錠装置は、表枠（前扉）に第２の施錠ユニットを取り付け、この施錠ユニットには、断面Ｌ形の基枠の上部と下部に表枠用のロック爪を傾動可能に軸支すると共に、表枠用可動錠板を上下摺動可能に装着してロック爪に可動錠板を連結させ、上記シリンダ錠のカムレバーを表枠用可動錠板の一部に係合可能とし、シリンダ錠の上記と逆方向の回動操作により、カムレバーを表枠用可動錠板に係合させてそれを解錠方向に摺動させ、ロック爪を傾動させて、本体枠側に固定した受け金具との係合を外して解錠するようにしている。
【０００８】
しかし、上記特許文献２の施錠装置は、ガラス枠に装着されるガラス枠用可動錠板が単純な構造の固定基枠の側面に単に摺動可能に装着されるのみであり、さらに、表枠用可動錠板が、表枠に固定された断面Ｌ形の固定基枠の側面に摺動可能に装着され、その固定基枠の上部と下部にロック爪を背面側に突き出す形態で回動可能に軸支し、表枠用可動錠板に上下のロック爪を連結させた単純な構造であった。
【０００９】
このため、不正解錠が行なわれた際、強力な力がガラス枠に加わった場合、ガラス枠用可動錠板が変形して不正に解錠される虞があった。また、表枠と本体枠の自由端側（反ヒンジ側）の隙間から針金などの不正器具を差し込まれてロック爪や表枠用可動錠板に力が加えられた場合、単純な構造のため、ロック爪や可動錠板が簡単に変形して不正に解錠される虞があった。
【００１０】
本発明は、上記の点に鑑みなされたもので、針金などの不正器具による不正解錠を防止すると共に、鉤部材やラッチ部材に不正な開放荷重が印加された場合でも、堅強にその施錠状態を保持し、不正解錠の防止を図ることができるゲーム機の施錠装置を提供することを目的とする。
【課題を解決するための手段】
【００１１】
このために、本発明の請求項１のゲーム機の施錠装置は、基枠体を有した中扉用錠ユニットが、ゲーム機の本体枠に開閉可能に装着された中扉に、取り付けられ、シリンダ錠を有したシリンダ錠ユニットが、該中扉に開閉可能に装着された前扉に、取り付けられ、該前扉を施錠するための鉤部材が、該中扉用錠ユニット内に摺動可能に装着され、該前扉に設けられた受け金具に該鉤部材が係止されて該前扉が施錠されるゲーム機の施錠装置において、該中扉用錠ユニットの基枠体が第１基枠体と第２基枠体を組み合わせて構成され、該第１基枠体と第２基枠体との重ね合わせ部に形成された隙間に、前記鉤部材が摺動可能に挟持され、該基枠体に沿って解錠用の作動杆が摺動可能に配設され、該作動杆には、解錠時に該鉤部材に係合して該鉤部材を解錠方向に摺動させる係合部が設けられ、前記シリンダ錠ユニットに設けられたシリンダ錠の錠軸に係合部材が取着され、該前扉の閉鎖時、該錠軸の係合部材と係合可能な受け係合部が、該作動杆の一部に設けられ、該鉤部材と該基枠体との間に該鉤部材を施錠方向に付勢するためのコイルばねが掛け渡され、該コイルばねは前記第１基枠体に設けたばね用開口部に配設され、該コイルばねをカバーするばねカバー部が前記第２基枠体に設けられたことを特徴とする。
【００１３】
また、本発明の請求項２のゲーム機の施錠装置は、基枠体を有した中扉用錠ユニットが、ゲーム機の本体枠に開閉可能に装着された中扉に、取り付けられ、シリンダ錠を有したシリンダ錠ユニットが、該中扉に開閉可能に装着された前扉に、取り付けられ、該中扉を施錠するためのラッチ部材が、該中扉用錠ユニット内に回動可能に枢支され、該本体枠に設けられた受け具に該ラッチ部材が係止されて該中扉が施錠されるゲーム機の施錠装置において、該中扉用錠ユニットの基枠体が第１基枠体と第２基枠体を組み合わせて構成され、該第１基枠体と第２基枠体との重ね合わせ部分に、該ラッチ部材を収納するためのラッチ用凹部が、その周辺部を該第１基枠体によって囲われて形成され、該ラッチ用凹部内に該ラッチ部材が回動可能に枢支され、該基枠体に沿って解錠用の作動杆が摺動可能に配設され、該第２基枠体の上部と下部に該受け具の進入を許容する開口凹部が形成され、該ラッチ部材は、該開口凹部内の受け具を拘束する溝状のロック凹部を有すると共に、該支持板の上部と下部の該開口凹部の近傍に各々回動可能に枢支され、該作動杆には、解錠時に該ラッチ部材に係合して該ラッチ部材の解錠方向への回動を許容させる作動係合部が設けられ、前記シリンダ錠ユニットに設けられたシリンダ錠の錠軸に係合部材が取着され、該前扉の閉鎖時、該錠軸の係合部材と係合可能な受け係合部が、該作動杆の一部に設けられ、該ラッチ部材は、該中扉の閉鎖時に該ラッチ部材が該受け具に押されてラッチ位置に回動した時、該受け具に係止され、該シリンダ錠により該錠軸の該係合部材を該ラッチ部材の解錠方向に回動させたとき、作動杆が移動して該作動係合部により該ラッチ部材の係止が解除されて該ラッチ部材が解錠側に回動し、該中扉が解錠されることを特徴とする。
【００１４】
ここで、上記請求項２の施錠装置において、前記シリンダ錠ユニットの係合部材は、回動軸心から偏倚した位置に２つの係合突板を突設して形成され、前記作動杆の受け係合部は、該係合部材の該係合突板を背面側から包囲して係合するように略コ字状に形成されると共に、前記基枠体の中央縦線から側方に偏倚して配設されて構成することができる。
【００１５】
また、前記作動杆には、解錠操作時に移動した該作動杆を基の位置に戻すためのばね部材を装着し、さらに前記シリンダ錠ユニットのシリンダ錠には、その錠軸及び係合部材を原位置に復帰させるための戻しばねを装着することができる。
【発明の効果】
【００１６】
上記の構成の請求項１の施錠装置によれば、中扉用錠ユニットの基枠体が第１基枠体と第２基枠体を組み合わせて構成され、第１基枠体と第２基枠体との重ね合わせ部に形成された隙間に、鉤部材が摺動可能に挟持されるから、不正解錠などにより強力な力が鉤部材に加わった場合でも、鉤部材は第１基枠体と第２基枠体の間で確実に挟持され、不正解錠を防止することができる。また、第１基枠体と第２基枠体を重ね合わせて基枠体を構成するため、基枠体の強度を充分に補強して不正解錠などの際の変形を防止することができる。
【００１７】
さらに、鉤部材と基枠体との間に掛け渡した、鉤部材を施錠方向に付勢するためのコイルばねが、第１基枠体に設けたばね用開口部に配設され、第２基枠体に設けたばねカバー部により、このコイルばねをカバーするので、部品点数を増加させることなく、効果的にコイルばねをばねカバー部によりカバーし、針金等を差し込で行なわれる不正解錠行為からコイルばねを保護することができる。
【００１８】
一方、請求項２の施錠装置によれば、中扉用錠ユニットの基枠体が第１基枠体と第２基枠体を組み合わせて構成され、第１基枠体と第２基枠体との重ね合わせ部分に、ラッチ部材を収納するためのラッチ用凹部が、その周辺部を第１基枠体によって囲われて形成され、ラッチ用凹部内にラッチ部材を回動可能に枢支するため、周辺部を第１基枠体によって囲われたラッチ部材に対し、針金等による不正器具を到達しにくくし、不正解錠行為からラッチ部材を保護することができる。また、周囲を囲われたラッチ用凹部内に、ラッチ部材が収容される状態となるため、不正解錠により強力な力がラッチ部材に印加された場合でも、ラッチ部材をその位置に保持して不正解錠を防止することができる。
【００１９】
また、シリンダ錠の係合部材は、回動軸心から偏倚した位置に２つの係合突板を突設して形成され、作動杆の受け係合部は、係合部材の係合突板を背面側から包囲して係合するように略コ字状に形成されると共に、基枠体の中央縦線から側方に偏倚して配設する構成とすれば、シリンダ錠の解錠操作による係合部材の回動時に、作動杆を確実に摺動させて、解錠操作を行なうことができる。
【００２０】
また、作動杆には、解錠操作時に移動した作動杆を基の位置に戻すためのばね部材を装着し、さらにシリンダ錠ユニットのシリンダ錠には、その錠軸及び係合部材を原位置に復帰させるための戻しばねを装着すれば、解錠操作後に、作動杆を確実に基の位置に戻し、且つシリンダ錠の係合部材を基の位置に復帰させ、前扉の閉鎖時には、シリンダ錠の係合部材と作動杆の受け係合部とを確実に係合させる状態とすることができる。
【００２１】
さらに、シリンダ錠を有するシリンダ錠ユニットは、ゲーム機の前面の前扉にそのシリンダ錠を前面に露出して取り付けられるから、前面枠の内側にガラス枠を開閉可能に取り付けた従来のパチンコ機のように、シリンダ錠の位置を外すためにガラス枠を小形にする必要はなく、ゲーム機の前扉は内側にガラス枠を装着しながら中扉及び本体枠の前面を大きく覆うように大型に形成することも可能となり、前扉の設計の自由度を向上させることができる。
【発明を実施するための最良の形態】
【００２２】
以下、本発明の実施形態を図面に基づいて説明する。図１はパチンコ機等のゲーム機に使用される施錠装置の中扉用錠ユニット１の正面図を示し、図２はその左側面図を示している。また、図３はその背面図を示し、図４はその右側面図を、図５は中扉用錠ユニット１とシリンダ錠ユニット３０の配置関係を示す部分正面図などを示している。この施錠装置は、ゲーム機の中扉４６に取り付けられる中扉用錠ユニット１と、前扉４７に取り付けられるシリンダ錠ユニット３０とから構成され、中扉用錠ユニット１はゲーム機の本体枠４５に対し中扉４６を施錠すると共に、中扉４６に対し前扉４７を施錠し、シリンダ錠ユニット３０は中扉用錠ユニット１の解錠操作を行なうものである。
【００２３】
中扉用錠ユニット１は、ゲーム機の本体枠４５の前面に開閉可能に装着された中扉４６に取り付けられ、図１〜図４に示すように、基体フレームとして縦長の基枠体２を備えている。この基枠体２は、図７〜図９に示すように、全体的には、取付板３と支持板４とを直角に曲げた略アングル材状、つまり断面を略Ｌ字状とした縦長の形状に形成される。
【００２４】
さらに、この基枠体２は、断面を略Ｌ字状とした縦長の第１基枠体２０と略平板状の縦長の第２基枠体２１を組み合わせて形成され、正面側に第１基枠体２０によって取付板３が形成され、第１基枠体２０と第２基枠体２１の重ね合わせ部により、支持板４がその取付板３から背面側に直角に曲げられた形態で形成されている。
【００２５】
つまり、図９のように、基枠体２の支持板４は第１基枠体２０の左側に第２基枠体２１を重ね合わせ、リベット、溶接などで固定して形成される。このとき、第２基枠体２１がその縦方向背面側に沿って第１基枠体２０との間に、僅かな段差部を付けて固定され、これにより、第１基枠体２０と第２基枠体２１の間に、後述の前扉施錠用の鉤部材６，７，８を挿入して挟持するための、スリット挿入部がその上部と下部と中間部に各々形成される。この基枠体２の正面側のスリット挿入部には、前扉施錠用の鉤部材６，７，８が上下に摺動可能に挿入され、堅強に挟持されることとなる。
【００２６】
また、図９のように、第１基枠体２０にはその上部と下部及び中間部に、ばね用開口部２４が形成される。このばね用開口部２４は、前扉施錠用の鉤部材６，７，８を施錠側に付勢するコイルばね６ｅ，７ｅ，８ｅを収納するための開口部であり、３箇所に形成される。また、第２基枠体２１の上部と下部及び中間部の対応位置には、それらのばね用開口部２４のコイルばね６ｅ，７ｅ，８ｅをカバーするように、３個のばねカバー部２５が右側に僅かに突出するように曲げて形成されている。
【００２７】
第２基枠体２１は、各ばねカバー部２５を各ばね用開口部２４に嵌め込むように、第１基枠体２０の支持板４の部分に重ね合わせて組み付けられる。後述のように、基枠体２の第１基枠体２０のばね用開口部２４には、前扉施錠用の鉤部材６，７，８を付勢するコイルばね６ｅ，７ｅ，８ｅが各々配置され、各ばねカバー部２５はこれらのコイルばね６ｅ，７ｅ，８ｅを基枠体２の右側からカバーする構造となっている。
【００２８】
また、第１基枠体２０の上部と下部の背面側には、図９のように、略半円形のラッチ用凹部２３、２３が形成され、そこに第２基枠体２１の一部が重ねて取着されることにより、図１１のように、基枠体２の右側面に、中扉施錠用のラッチ部材１０を収納するための収納部が、略半円形に形成されることとなる。この第２基枠体２１の上部と下部のラッチ部材１０の収納部には、図９のように、ラッチ部材１０用のガイド係止孔１８が配置され、さらに、ラッチ部材１０に係止される受け金具４０の係止ピン４０ａを進入させるための開口凹部２２が形成されている。また、図１１のように、第２基枠体２１における各ラッチ用凹部２３、２３と隣接した位置に、ラッチ部材１０内のばね部材１３の端部に係合してそれを支持するための支持凸部１７が、ラッチ用凹部２３側に向けて突設されている。
【００２９】
さらに、図１０の如く、第２基枠体２１の上部寄りの背面側には、２個の係止部２６、２６が上部と下部に突設される。これらの係止部２６、２６は、後述の作動杆５をコイルばね９によってフローティング状態に支持するためのもので、コイルばね９は作動杆５を上下中立位置に保持するように、作動杆５にばね掛け部材９ａ，９ｂを介して装着される。そして、上記係止部２６，２６は、そのコイルばね９の上端と下端が掛けられる上下のばね掛け部材９ａ，９ｂを、作動杆５の移動時に、係止する構造となっている。
【００３０】
図１０に示すように、中扉用錠ユニット１の基枠体２の左側面に、縦長の作動杆５が上下に摺動可能に取り付けられ、基枠体２の上部と下部及び中間部に、上述の如く、前扉施錠用の鉤部材６，７，８が、第１基枠体２０と第２基枠体２１の隙間に差し込まれ、上下に摺動可能に装着される。作動杆５は、この第２基枠体２１の外側（左側）に接して配設されるが、シリンダ錠ユニット３０のシリンダ錠３２の解錠操作に応じて上または下に摺動する。このとき、作動杆５は、下に摺動して前扉施錠用の鉤部材６，７，８を解錠動作させ、上に摺動して中扉施錠用のラッチ部材１０を解錠させるようになっている。
【００３１】
さらに、この作動杆５には、正面側下部寄りに、受け係合部５０が、シリンダ錠３２の係合部材３３を受け入れるために、側面コ字状または略カップ状に突設され、形成されている。この受け係合部５０は、図１、図１０に示すように、基枠体２の正面中央部から左側に偏倚して突出する形態で設けられている。これにより、中扉４６の自由端（向かって左端）側に中扉用錠ユニット１の基枠体２が取り付けられたとき、中扉４６の自由端側と本体枠４５の隙間から針金等の不正器具を差し込まれた際、その隙間から受け係合部５０を離して、針金等の不正器具が届き難くし、不正解錠を防止するようにしている。
【００３２】
また、この作動杆５は、上述の如く１本のコイルばね（ばね部材）９により、上下にフローティング状態で支持される。これにより、作動杆５は、係合部材３３の回動に応じて上又は下に移動したとき、コイルばね９の付勢力を受けて中立位置に復帰可能となっている。
【００３３】
すなわち、図２４に示すように、作動杆５の一部にコイルばね９を配設するための凹部が形成され、その凹部の上部と下部に段差部を付けて長孔部が設けられ、その上部と下部の長孔部に長孔５８ａ，５８ｂが形成され、その長孔５８ａ，５８ｂに、ばね掛け部材９ａ，９ｂが移動可能に嵌合されている。つまり、図２４のように、ばね掛け部材９ａ，９ｂは、長孔５８ａ，５８ｂに上下に移動可能に嵌入され、ばね掛け部材９ａの下端とばね掛け部材９ｂの上端との間にコイルばね９が掛け渡される。
【００３４】
さらに、作動杆５の内側に位置する第２基枠体２１のコイルばね９対応位置の上部と下部に、図１０に示す如く、係止部２６，２６が突設され、この係止部２６，２６の上部または下部に、ばね掛け部材９ａの上部とばね掛け部材９ｂの下部が係止可能に位置している。これにより、図２４のように、作動杆５は、上または下に摺動した後、コイルばね９の付勢力によってその中立位置に戻されることとなる。
【００３５】
つまり、作動杆５が上方にまたは下方にコイルばね９の付勢力に抗して移動可能であり、例えば作動杆５がシリンダ錠３２の係合部材３３の回動動作によって上方に移動したとき、下のばね掛け部材９ｂの下端部は係止部２６に係止されて移動できずに静止する。一方、上のばね掛け部材９ａは作動杆５の上方移動と共に上に移動し、ばね掛け部材９ａの上端部が長孔５８ａに係合して上に移動し、これによりコイルばね９が引き伸ばされ、作動杆５は下方に付勢されて下方の中立位置に戻される。
【００３６】
他方、作動杆５がシリンダ錠３２の係合部材３３の回動動作によって下方に移動したとき、下のばね掛け部材９ｂの下端部が長孔５８ｂと共に下方に移動し、一方、上のばね掛け部材９ａの上端部は係止部２６に係止されて移動できずに静止する。これによりコイルばね９が引き伸ばされ、作動杆５は上方に付勢されて上方の中立位置に戻され構造となっている。
【００３７】
図１０に示すように、作動杆５の上部、下部、及び中間部にガイド孔５３が穿設され、それらのガイド孔５３に各々ガイドピン５４が挿入され、その先端が第２基枠体２１（支持板４）の左側面に固定され、これにより、作動杆５は所定の範囲で上下動を可能としている。また、作動杆５には、前扉施錠用の３個の鉤部材６，７，８を解錠方向に動かすために、鉤部材用の係合部５５，５６，５７が各々対応位置つまり上部、下部、及び中間部に各々突設されている。また、作動杆５の上部と下部には、中扉施錠用の２個のラッチ部材１０，１０を解錠側に回動させるために、作動係合部５１，５２の各々の対応位置に突設されている。
【００３８】
図１０の如く、３個の鉤部材６，７，８が、中扉４６に対し前扉４７を施錠するために、基枠体２の正面側にその鉤部６ａ，７ａ，８ａを突き出し、その元部を第１基枠体２０と第２基枠体２１の間に差し込んで、摺動可能に挟持されている。これらの鉤部材６，７，８は、図１０に示すように、基部の正面側にフック状の鉤部６ａ，７ａ，８ａを上に向けて形成され、基枠体２の内側に挿入される基部には、ガイド孔６ｂ、７ｂ、８ｂが形成されると共に、その下側にスリット孔が形成される。
【００３９】
ガイド孔６ｂ、７ｂ、８ｂにはガイドピン６ｄ、７ｄ、８ｄが係合し、スリット孔には第２基枠体２１の内側に突き出したガイド凸部２７が係合し、共に鉤部材６，７，８を所定の範囲内で縦方向に摺動可能に保持している。このガイドピン６ｄ、７ｄ、８ｄとガイド凸部２７によって、各鉤部材６，７，８は、基枠体２内に上下摺動可能に保持される。これにより、前扉４７を無理に開く開放荷重が鉤部材６，７，８に印加されたとき、その開放荷重を堅強に耐え得る構造となっている。
【００４０】
さらに、鉤部材６，７，８の上部と基枠体２間に、各々コイルばね６ｅ，７ｅ，８ｅが掛けられ、鉤部材６，７，８は各々施錠方向（上方向）に付勢される。また、各鉤部材６，７，８の基部の下端部には、作動杆５の係合部５５，５６，５７と係合可能な被係合部６ｃ、７ｃ、８ｃが設けられている。これにより、作動杆５が後述のシリンダ錠ユニット３０の係合部材３３に回動により下方に摺動したとき、その係合部５５，５６，５７が被係合部６ｃ、７ｃ、８ｃと係合し、各鉤部材６，７，８は作動杆５と共に下方向に摺動し、解錠動作するようになっている。
【００４１】
図１１に示すように、基枠体２の支持板４の上部と下部の背面側に、つまり第１基枠体２０の一部を略半円形に切り欠くようにラッチ用凹部２３，２３が形成され、この上部と下部のラッチ用凹部２３，２３内に露出する第２基枠体２１の部分に、各々、ラッチ部材１０，１０が枢軸１６，１６を軸に所定の角度範囲で回動可能に枢支される。このラッチ用凹部２３内の、第２基枠体２１のラッチ部材１０に対向した部分に、開口凹部２２とガイド係止孔１８が形成される。
【００４２】
このラッチ部材１０には、施錠時、受け具４０の係止ピン４０ａを受け入れるラッチ凹部１５が形成され、そのラッチ凹部１５が開口凹部２２の隣接位置に配置される。ラッチ部材１０は、施錠時、受け具４０の係止ピン４０ａが開口凹部２２からラッチ凹部１５に進入したとき、係止ピン４０ａをそのラッチ凹部１５内に受け入れながら回動し、係止ピン４０ａを拘束して施錠する構造となっている。
【００４３】
基枠体２の支持板４側に形成されるガイド係止孔１８は、図１１のように略Ｌ字状に形成され、そのガイド係止孔１８の端部は、支持板４と平行な部分がロック部１８ａとして形成され、ラッチ部材１０の係止ピン１４が、カバー板１２のガイド孔１２ａを移動し、同時にガイド係止孔１８からそのロック部１８ａに進入したとき、ラッチ部材１０はラッチ状態となりロックされる構造となっている。
【００４４】
さらに、第２基枠体２１のガイド係止孔１８の少し上方位置に、図１１のように、支持凸部１７が内側つまりラッチ部材１０側に突出して設けられる。この支持凸部１７は、ラッチ部材１０の内側面に形成された円弧状の係合凹部１２ｂに進入し、ばね部材１３に当接する。これにより、ラッチ部材１０は、施錠時、ばね部材１３の付勢力に抗して回動し、解錠時に係止ピン１４がロック部１８ａからガイド係止孔１８側に外れたとき、ラッチ部材１０はばね部材１３の付勢力により解錠方向に回動する。
【００４５】
図１４に示すように、ラッチ部材１０には、受け具４０の係止ピン４０ａを受け入れて拘束する溝状のラッチ凹部１５が形成され、更に、ラッチ部材１０内には、ラッチ部材１０をラッチ状態に係止するための係止ピン１４と付勢用のばね部材１３が内蔵される。また、ラッチ部材１０は、図１４のように、ラッチ本体１１とそれを覆うカバー板１２とを有して形成され、ラッチ本体１１内には空間が形成され、その内部空間にばね部材１３と係止ピン１４が収納される。
【００４６】
ラッチ本体１１は、ポリアセタール樹脂、ポリアミド樹脂などの耐摩耗性の高い硬質合成樹脂を用いて成形され、カバー板１２は、補強のために金属板から形成される。ラッチ本体１１を成形する成形材料には、二硫化モリブデンなどの滑剤が添加されており、これによって、ラッチ部材１０の外面を形成するラッチ本体１１に適度な滑性をもたせ、受け具４０側の係止ピン４０ａを滑らかに嵌入する形態となっている。また、ラッチ本体１１の内側面に金属板のカバー板１２を固定ねじ１２ｃで固定することにより、ラッチ部材１０の強度を補強している。
【００４７】
ラッチ部材１０に内蔵される係止ピン１４は、ラッチ部材１０をラッチ位置に回動させたとき、その位置で支持板４側のガイド係止孔１８のロック部１８ａに係止させてロックさせるもので、カバー板１２に形成されたガイド孔１２ａから支持板４側に突き出して配設され、ばね部材１３により常に外側に付勢されている。
【００４８】
ばね部材１３は、図１４に示す如く、２個の円形コイル部を有する捻りばねであり、その一方の円形コイル部１３ａをラッチ本体１１の枢軸ボス部に嵌合させ、他方の円形コイル部１３ｂをラッチ本体１１内の偏倚位置に突設した係止ボス部１１ａに嵌合させて装着され、ばね部材１３の一端で係止ピン１４を付勢し、その他端で支持板４の内側に突設した支持凸部１７を押すように掛止されている。ラッチ部材１０のカバー板１２に形成された円弧状の係合凹部１２ｂには、支持板４側の支持凸部が進入して係合され、ラッチ部材１０内のばね部材１３の他端がその支持凸部１７に係合している。つまり、このばね部材１３の他端が支持凸部１７に係合することにより、ラッチ部材１０は相対的に解錠側（図４の時計方向）にばね力を受けて付勢される。
【００４９】
上記作動杆５には、図１０に示すように、その上部と下部のラッチ部材対応位置に、作動係合部５１，５２が支持板４側で且つラッチ部材１０側に向けて突設される。また、この作動係合部５１，５２は、上記ラッチ部材１０、１０の係止ピン１４、１４が配置されるガイド係止孔１８、１８のロック部１８ａ，１８ａ近傍に位置しており、解錠時には、その作動係合部５１，５２の先端でロック部１８ａ，１８ａ内の係止ピン１４、１４を押して、ロックを解除する構造である。
【００５０】
一方、ゲーム機の中扉４６の前面に前扉４７が開閉可能に装着されるが、この前扉４７にはシリンダ錠ユニット３０が取り付けられる。このシリンダ錠ユニット３０は、図１２、図１３に示すように、取付板３１の略中央部に、シリンダ錠３２を取り付け、シリンダ錠３２の錠軸３２ａに係合部材３３を固定して構成されている。取付板３１にはシリンダ錠挿入用の開口部が形成され、その開口部にシリンダ錠３２がその錠軸３２ａを取付板３１の内側に挿入するように取り付けられる。つまり、その開口部の背面側からシリンダ錠３２を差し込み、シリンダ錠３２のフランジ３２ｂを取付板３１の内側で固定して装着される。
【００５１】
シリンダ錠３２の錠軸３２ａに固定されるカムレバー状の係合部材３３は、図１２、図１３に示すように、上記作動杆５の受け係合部５０内に嵌入可能な２個の係合突板３３ａ，３３ａが板状本体の端部に角のように背面側に突設されて形成される。この係合部材３３の係合突板３３ａ，３３ａは、シリンダ錠ユニット３０の中央縦線位置より、左側に偏倚して設けられ、このシリンダ錠ユニット３０がゲーム機の前扉４７の自由端側に取り付けられた場合、前扉と本体枠または中扉の隙間からその係合突板３３ａ，３３ａが離れて位置し、その隙間から不正に差し込まれた不正器具を届きにくくしている。
【００５２】
また、シリンダ錠３２には、錠軸３２ａを原位置に復帰するための戻しばね（捻りコイルばね）３４が錠軸３２ａの周囲に配設され、戻しばね３４の両端は、略直角に曲折され、係合部材３３の先端部に形成した段付き凹部の段部３３ｂに係止される。そして、図１２のように、この戻しばね３４を覆うように、ばねカバー３５がシリンダ錠３２のフランジ３２ｂに装着される。ばねカバー３５には戻しばね３４の両端部が突出可能な円弧状のスリット孔が形成され、そのスリット孔から戻しばね３４の端部を突き出し、突き出した戻しばね３４の先端は、図１２のように、係合部材３３の段部３３ｂ、３３ｂに係止され、係合部材３３を中立位置に戻るように動作する。つまり、戻しばね３４は、シリンダ錠３２に差し込んだ鍵を時計方向または反時計方向に回したとき、原位置（鍵を差し込む位置）に錠軸３２ａと係合部材３３がそのばね力により戻すようになっている。
【００５３】
このように、ゲーム機の前扉４７の自由端側の正面にシリンダ錠ユニット３０が取り付けられるが、その前扉４７を中扉４６に対し閉じている場合には、シリンダ錠ユニット３０のシリンダ錠３２の錠軸３２ａに取着した係合部材３３を、中扉４６側の中扉用錠ユニット１の作動杆５の受け係合部５０に係合させ、前扉４７側から中扉用錠ユニット１の作動杆５を動かして解錠するようになっている。また、シリンダ錠ユニット３０を取り付けるゲーム機の前扉４７は完全に中扉４６の前面を覆う形状と大きさに形成することができ、その前扉４７には、鉤部材６，７，８用の受け金具４１を内側に設けることにより、中扉４６に取り付ける中扉用錠ユニット１の鉤部材６，７，８を受け金具４１に係止させて、前扉４７を施錠する構造となっている。
【００５４】
さらに、前扉４７を施錠する鉤部材６，７，８については、基枠体２の支持板４の隙間に摺動可能に挟持させている。つまり基枠体２の第１基枠体２０における向かって左側に鉤部材６，７，８を摺動可能に配設し、その左側に第２基枠体２１を、鉤部材６，７，８の左側に被せるように覆って取り付けている。これにより、鉤部材６，７，８の基部を針金などの不正器具から保護すると共に、鉤部材６，７，８に不正な開放荷重が印加された場合でも、堅強にその施錠状態を保持し、不正解錠を防止する構造となっている。
【００５５】
上記のように構成された施錠装置の中扉用錠ユニット１は、図１６、図１９に示すように、ゲーム機の中扉４６内にそのラッチ部材１０，１０を背面側つまり本体枠（筐体、キャビネットを含む）４５側に向けて、縦に基枠体２の取付板３を固定して取り付けられる。また、本体枠４５側には、そのラッチ部材１０，１０に対応して、受け具４０，４０が、本体枠４５の右側壁部の内側に、その係止ピン４０ａを水平状態として固定される。
【００５６】
受け具４０は、図１５に示すように、基板の端部寄りに頭付円柱状の係止ピン４０ａが突設されて構成される。係止ピン４０ａの先端にはフランジが設けられ、ラッチ部材１０がフランジの内側の係止ピン４０ａの部分に係止されたとき、係止状態を外れにくくしている。なお、係止ピンは、金属板を曲げた形状など他の形状の係止部とすることができる。また、ゲーム機の中扉４６は、本体枠４５の前面に開閉可能に取り付けられ、中扉４６の前面に前扉４７が開閉可能に取り付けられる。
【００５７】
一方、上記シリンダ錠ユニット３０は、シリンダ錠３２の錠軸３２ａに固定されたカムレバー状の係合部材３３を中扉４６側に向け、前扉４７の内側にその取付板３１を固定して、取り付けられる。このとき、係合部材３３の先端の係合突板３３ａ，３３ａは、中扉用錠ユニット１の受け係合部５０に対応した位置に配置され、シリンダ錠３２は、その鍵穴先端を前扉４７の正面側に露出して取り付けられる。
【００５８】
次に、上記構成の施錠装置の動作を説明する。ゲーム機の中扉４６を本体枠４５に対し閉じると、上部と下部の受け具４０の係止ピン４０ａが、施錠装置の上部と下部の開口凹部２２，２２からラッチ部材１０，１０のラッチ凹部１５，１５内に進入する。このとき、ラッチ部材１０，１０が図５（ｂ）の反時計方向に回動し、回動端までラッチ部材１０，１０が回動すると、ラッチ部材１０内の係止ピン１４がばね部材１３の付勢力によりガイド係止孔１８内で移動し、これによって、係止ピン１４がガイド係止孔１８のロック部１８ａに進入する。
【００５９】
このとき、ラッチ部材１０，１０の回動がロックされ、ラッチ部材１０，１０のラッチ凹部１５、１５内に受け具４０の係止ピン４０ａが拘束され、ラッチ部材１０，１０がそのラッチ位置に保持され、図１６、図１９に示すような施錠状態となる。このような施錠時、ラッチ部材１０のラッチ凹部１５とそこに嵌入される受け具４０の係止ピン４０ａは、円滑に嵌合して、非常にスムーズに施錠することができ、解錠動作も円滑に行なうことができる。
【００６０】
一方、前扉４７を中扉４６に対し閉じると、前扉４７の内側に取り付けられた３個の受け金具４１が各々上部、中間、下部の鉤部材６，７，８の鉤部６ａ，７ａ，８ａの傾斜部に接触し、コイルばね６ｅ，７ｅ，８ｅの付勢力に抗してこれを押し下げ、受け金具４１が鉤部に係止可能な状態で、鉤部材６，７，８が基の位置に復帰上昇し、図１６または図１９のように、施錠状態となる。前扉４７は、上部、中間、下部の３個の鉤部材６，７，８により施錠され、さらに各鉤部材６，７，８が第１基枠体２０と第２基枠体２１の間に挟持されて保持されるため、大型の前扉４７であっても、堅強にそれを施錠することができる。
【００６１】
一方、図１６、図１９の施錠状態において、中扉４６を解錠する場合、シリンダ錠３２に鍵を挿入しその鍵を右に回す。このとき、錠軸３２ａの係合部材３３が同方向に回動するが、係合部材３３の端部の両係合突板３３ａ内に、作動杆５の受け係合部５０が係合保持されているため、作動杆５は係合部材３３により上に持ち上げられ上昇する。これにより、作動杆５の上部と下部の作動係合部５１，５２（ガイド係止孔１８のロック部１８ａに対向して位置する）が同様に上方に移動し、そのロック部１８ａ内の係止ピン１４を上方に押すように作用する。
【００６２】
このとき、係止ピン１４は、ばね部材１３の付勢力によって、ロック部１８ａからガイド係止孔１８へと移動し、ラッチ部材１０，１０のラッチ位置でのロックが外れる。つまり、ラッチ部材１０，１０はばね部材１３の付勢力により、図２０の時計方向に回動し、拘束されていた受け具４０の係止ピン４０ａが、ラッチ部材１０，１０のラッチ凹部１５、１５から外れ、開口凹部２２，２２からも押し出されて、図２０、図２１のように、解錠状態となる。
【００６３】
一方、前扉４７を解錠する場合、鍵をシリンダ錠３２に差し込み、左に回すと、その錠軸３２ａ及び係合部材３３が同方向に回動し、係合部材３３に係合保持された受け係合部５０を有する作動杆５が下降する。このとき、図１７、図１８に示すように、作動杆５の係合部５５，５６，５７が各々鉤部材６，７，８の被係合部６ｃ、７ｃ、８ｃに係合して鉤部材６，７，８を下方に摺動させる。これにより、鉤部材６，７，８の鉤部６ａ，７ａ，８ａと受け金具４１の係合が外れ、前扉４７が解錠され、図１８のように、前扉４７が開放される。
【００６４】
このように、ゲーム機の中扉４６に中扉用錠ユニット１が取り付けられ、中扉４６の正面側に装着された前扉４７にシリンダ錠ユニット３０を取り付け、中扉用錠ユニット１とシリンダ錠ユニット３０を結合させて前扉４７を中扉４６に施錠し、且つ中扉用錠ユニット１を用いて中扉４６を本体枠４５に対し施錠するように構成されるため、ガラス枠ともなる前扉４７を中扉４６と同程度に大型化することができ、前扉４７の設計の自由度を高めることができる。
【００６５】
また、シリンダ錠３２は、前扉４７に配置されるため、前扉４７を開く場合、通常の扉と同様に、そのシリンダ錠３２に鍵を差し込んで解錠することができ、施錠・解錠の操作が行い易いという効果がある。また、本体枠４５に対し中扉４６と前扉４７が施錠された状態であれば、シリンダ錠３２の鍵を右に回すことにより、前扉付きの中扉４６を解錠して開くことができ、１つのシリンダ錠３２で正面から中扉４６と前扉４７の解錠を行うことができる。また、中扉４６に取り付けられる中扉用錠ユニット１においては、通常装着されているシリンダ錠３２と係合部材３３を外した構造としているから、その分の重量を軽量化することができる。
【００６６】
以上説明したように、本発明のゲーム機の施錠装置は、中扉用錠ユニット１の基枠体２が第１基枠体２０と第２基枠体２１を組み合わせて構成され、第１基枠体２０と第２基枠体２１との重ね合わせ部に形成された隙間に、鉤部材６，７，８が摺動可能に挟持されるから、不正解錠などにより強力な力が鉤部材に加わった場合でも、鉤部材は第１基枠体２０と第２基枠体２１の間で確実に挟持され、不正解錠を防止することができる。また、第１基枠体２０と第２基枠体２１を重ね合わせて基枠体２を構成するため、基枠体２の強度を充分に補強して不正解錠などの際の変形を防止することができる。
【００６７】
さらに、鉤部材６，７，８と基枠体２との間に掛け渡した、鉤部材を施錠方向に付勢するためのコイルばね６ｅ，７ｅ，８ｅが、第１基枠体２０に設けたばね用開口部２４内に配設され、第２基枠体２１に設けたばねカバー部２５により、このコイルばね６ｅ，７ｅ，８ｅをカバーするため、部品点数を増加させることなく、効果的にコイルばねをばねカバー部によりカバーし、針金等を差し込で行なわれる不正解錠行為からコイルばねを保護することができる。
【００６８】
さらに、中扉用錠ユニット１の基枠体２が第１基枠体２０と第２基枠体２１を組み合わせて構成され、第１基枠体２０と第２基枠体２１との重ね合わせ部分に、ラッチ部材１０を収納するためのラッチ用凹部２３が、その周辺部を第１基枠体２０によって囲われて形成され、ラッチ用凹部２３内にラッチ部材１０を回動可能に枢支するため、周辺部を第１基枠体２０によって囲われたラッチ部材１０に対し、針金等による不正器具を到達しにくくし、不正解錠行為からラッチ部材１０を保護することができる。また、周囲を囲われたラッチ用凹部２３内に、ラッチ部材１０が収容される状態となるため、不正解錠により強力な力がラッチ部材１０に印加された場合でも、ラッチ部材１０をその位置に保持して不正解錠を防止することができる。
【００６９】
また、シリンダ錠ユニット３０の係合部材３３は、回動軸心から偏倚した位置に２つの係合突板３３ａを突設して形成され、作動杆５の受け係合部５０は、係合部材３３の係合突板３３ａを背面側から包囲して係合するように略コ字状に形成されると共に、基枠体２の中央縦線から側方に偏倚して配設される。このため、シリンダ錠３２の解錠操作による係合部材３３の回動時に、作動杆５を確実に摺動させて、解錠操作を行なうことができる。
【００７０】
また、作動杆５には、解錠操作時に移動した作動杆を基の位置に戻すためのばね部材（コイルばね９）を装着し、さらにシリンダ錠ユニット３０のシリンダ錠３２には、その錠軸３２ａ及び係合部材３３を基の位置に復帰させるための戻しばね３４を装着している。このため、解錠操作後に、作動杆５を確実に基の位置に戻し、且つシリンダ錠３２の係合部材３３を基の位置に復帰させ、前扉４７の閉鎖時には、シリンダ錠３２の係合部材３３と作動杆５の受け係合部５０とを確実に係合させる状態とすることができる。
【図面の簡単な説明】
【００７１】
【図１】本発明の一実施形態を示す施錠装置の中扉用錠ユニットの正面図である。
【図２】同中扉用錠ユニットの左側面図である。
【図３】同中扉用錠ユニットの背面図である。
【図４】同中扉用錠ユニットの右側面図（ａ）と平面図（ｂ）である。
【図５】中扉用錠ユニットとシリンダ錠ユニットの配置関係を示す部分正面図（ａ）、その部分右側面図（ｂ）、同部分背面図（ｃ）、及び同部分左側面図（ｄ）である。
【図６】シリンダ錠ユニットの正面図（ａ）、その右側面図（ｂ）、同左側面図（ｃ）、及び同平面図（ｄ）である。
【図７】中扉用錠ユニットの基枠体の左側面図である。
【図８】中扉用錠ユニットの基枠体の背面図である。
【図９】中扉用錠ユニットの基枠体の分解左側面図である。
【図１０】中扉用錠ユニットの基枠体、作動杆、鉤部材の分解左側面図である。
【図１１】中扉用錠ユニットの基枠体とラッチ部材の分解左側面図である。
【図１２】シリンダ錠ユニットの背面側からの拡大斜視図である。
【図１３】シリンダ錠、カム部材、戻しばね、ばねカバーの分解背面図である。
【図１４】ラッチ部材の左側面図（ａ）、同背面図（ｂ）、同平面図（ｃ）、及びその分解斜視図（ｃ）である。
【図１５】ラッチ部材用の受け金具の左側面図（ａ）と同正面図（ｂ）である。
【図１６】ゲーム機に装着し、前扉及び中扉を施錠した状態の施錠装置の右側面図である。
【図１７】前扉を解錠した状態の右側面図である。
【図１８】解錠した前扉を開放した状態の右側面図である。
【図１９】ゲーム機に装着し、前扉及び中扉を施錠した状態の施錠装置の左側面図である。
【図２０】中扉を解錠した状態の右側面図である。
【図２１】中扉を解錠した状態の左側面図である。
【図２２】中扉を解錠操作した際の施錠装置の下部の拡大斜視図である。
【図２３】前扉を解錠操作した際の施錠装置の下部の拡大斜視図である。
【図２４】フローティング式のコイルばねの装着状態を示す拡大斜視図である。
【符号の説明】
【００７２】
１      中扉用錠ユニット
２      基枠体
３      取付板
４      支持板
５      作動杆
６      鉤部材
１０    ラッチ部材
１５    ラッチ凹部
１６    枢軸
２０    第１基枠体
２１    第２基枠体
２２    開口凹部
２３    ラッチ用凹部
２４    ばね用開口部
２５    ばねカバー部
３０    シリンダ錠ユニット
３２    シリンダ錠
３２ａ  錠軸
３３    係合部材
３３ａ  係合突板
４０    受け具
４１    受け金具
４５    本体枠
４６    中扉
４７    前扉
５０    受け係合部
５１    作動係合部
５５，５６，５７    係合部
【図１】
0005038174.tif 000002
【図２】
0005038174.tif 000003
【図３】
0005038174.tif 000004
【図４】
0005038174.tif 000005
【図５】
0005038174.tif 000006
【図６】
0005038174.tif 000007
【図７】
0005038174.tif 000008
【図８】
0005038174.tif 000009
【図９】
0005038174.tif 000010
【図１０】
0005038174.tif 000011
【図１１】
0005038174.tif 000012
【図１２】
0005038174.tif 000013
【図１３】
0005038174.tif 000014
【図１４】
0005038174.tif 000015
【図１５】
0005038174.tif 000016
【図１６】
0005038174.tif 000017
【図１７】
0005038174.tif 000018
【図１８】
0005038174.tif 000019
【図１９】
0005038174.tif 000020
【図２０】
0005038174.tif 000021
【図２１】
0005038174.tif 000022
【図２２】
0005038174.tif 000023
【図２３】
0005038174.tif 000024
【図２４】
0005038174.tif 000025